Podtech/llm-jp-corpus-v4-ja_patent huggingface dataset:
(57)【要約】      （修正有）【課題】人体の消化器内部、胃部から血管のあるところまで癌蓄積を作らせない素の、癌を無くす為の食物になる生き物の飼育方法を提供する。【解決手段】牛を放牧するときに、牛の舌が地面に付かない口輪を付けて、牧場で牧草を食べないよう、砂や土が口に入らないようにして、人が牛の肉を食べても癌のもとになる土や砂を蓄積出来なくすることを特徴とする。【選択図】図１
2014064550.tif 000002
【特許請求の範囲】
【請求項１】
牛を放牧するときは、舌が地面に付かない口輪を付けて、牧場で牧草を食べないよう、砂や土が同時に口に入らないようにして、人が牛の肉を食べても癌のもとになる土や砂を蓄積出来なくすることを特徴とする牛の飼育方法。
【発明の詳細な説明】
【技術分野】
【０００１】癌を無くす為の食物になる生き物の飼育方法に関する。
【背景技術】
【０００２】  現状は、癌蓄積のもとになる物質を疑わずに食べているので、がん患者は増え続けています。【０００３】癌、になる原因は、石、砂、土です。人類の消化酵素とは、牛の消化酵素と同一です。砂、土を完全に消化する消化酵素は持っていません。
人類が牧畜類を食べていますが、人類は石を消化する酵素は持たないので、異質を感知し、胃壁や腸壁や他の臓器壁におしやる。その胃壁等の臓器に付いた癌は、積み重なると次第に大きな癌となる。
牛が牧草と土、砂利とを食べていた結果、老いた牛の臓器壁や血管内壁の解剖図と血液の内容を知っておきたい。牛の血液も人類と同じで、土砂を消化する消化酵素は持っていないのです。血液は、異質の微小粒子と感知し、血液の流れから弾き飛ばす。そして、血管内壁に付着した固いすり潰した石は、人類が同様の食べ物を食べ続けると、その石の癌が積み重なり血液が流れにくくなり、最後には血管を詰まらせることになります。
結果、人類は、牧草を食べると同時に砂利や土をも口に入れてしまう牛の肉を常時食べていると、人体内に固い石の癌が蓄積してくるのです。
【先行技術文献】
【特許文献】
【０００４】
【特許文献１】特許２００９−５０１７６広報
【発明の概要】
【発明が解決しようとする課題】
【０００５】人間の食べ物に土や砂利を含んでいるものがあるから人体内に石が蓄積するのです。
人間は、大昔から地上に出来た野菜を食べる草食動物です。
その形態が土、石をも牧草と同時に食べる動物の牛肉を食べる時代に変わってきました。牛は、放牧すると牧草と同時に、小石と土を口に入れてしまいますが、土や砂を溶かす消化酵素は持っていません。
牛は反すう器管をもっています。第１胃は大きく、バクテリアなどの微生物がすんでいます。少しずつ第２胃に送られます。第２胃に蓄えられ、中にある金属片や小石は吐き出されるのですが、完全に極小さい砂と土の全部を、吐き出すことは出来ません。そこでは、小さく微生物と混ぜ、小分けにした植物の繊維を微生物の力で分解し発酵させます。これを再び口にもどし、良く噛み直しさらに細かくすることを何度か繰り返します。それから胃の第３、第４の部屋に送って消化します。
第３胃は、反すうされた植物が送られ消化し水分を吸収する。
第３胃に行き又、第１胃から第３胃まで数回繰り返されます。その時細かい砂分は噛み砕き土砂を細かくすり潰しているだけで、人の消化液との違いはありません。
第４胃は、胃液が出て植物がさらに消化します。
ただ、放牧牛は、若い牛の時から牛肉になります。老いた放牧牛の内臓壁、血液状態、血管内部が人類と同様なのかはっきりとは分かりませんが、陸上に住む草食動物の人類と同じなので、現在放牧中に土砂を口に入れささない管理体制を至急確立し、人類が牛肉を食べても石が体に蓄積しなくすることで、癌が出来なくすることが大切です。
市場に業者が出す時、牧場で癌の蓄積の原因の砂や石を口に入れない牛の牛肉のみ出す。安心して食べられるよう飼育を改善、改良してできた食物を、消費者に提供できるようにすることを目的とします。
【課題を解決する為の手段】
【０００６】牛を放牧するときに、牛の舌が地面に付かない口輪を付けて牧場で牧草を食べないよう、砂や土が同時に口に入らないようにして、人が牛の肉を食べても癌のもとになる土や砂を蓄積させないようにすることを特徴とする牛の飼育方法。
【発明の効果】
【０００７】牛を放牧しても、口輪をしているため砂や石を牧草と一緒に食べることは無くなるので、癌になる確率は少なくなることが期待できる。
【図面の簡単な説明】
【０００８】
【図１】牧場で口輪を付けた牛
【発明を実施するための形態】
【０００９】図１は、牛に口輪をつけて放牧する図である。
放牧牛の口に草がふれないように付ける口輪ですが、若くても全ての放牧牛に口輪を付けます。鼻から息ができる物で、口輪の大きさは年齢別に、牛の口にあう口輪を作ります。牛は牧草地でも食事するのを牧場主も承知の上、放牧をさせ日光欲もさせる。しかし勿論、草の下の土も一緒に食べる牛は、反すう器管でバクテリアなどの微生物の力で草、微小の土、極小さい石をも一緒に、牧草を分解し発酵させ細かく消化され吸収され、やがて牛の肉や血となるが、人間と同様で、異質物質と感知される極小さい石分は各臓器壁や血管内壁に弾き飛ばされてそこにへばり付き、重なると大きな癌になる。しかし大部分の放牧牛は３〜５年の中に牛肉になるので、癌が小さい中に放牧牛の牛肉が販売されます。
人間の体に入ると牛の肉は、人間の体での消化酵素では、消化出来ない土や小石は、血液の中に入っても異質な物として血液の外に追い出され、それが血管壁にくっついてしまう。
それを繰り返すと、やがて、くっついた石と砂の細かい物が大きくなり、血管を詰まらせてしまう。その血管は血液を通せなくなる。人間に取り非常に危険になる。結論として厳密に言うならば家畜の牛を放牧の時には、牛の口に土や小石を、牧草と一緒に食べられないように、口輪をつける方法がよいと考えます。
【００１０】人間の体内で元の石なるものにもなる牛肉を食べないことが第一です。
しかし、この食料を、人間の消化酵素で全部消化出来るものとしての食料にするには、牛をどのように管理、飼育をすれば、安全に食することが出来るのかと、いうことです。
第Ｉに、牛が小石、砂等を草とともに、食べる機会のある牧草地に出す時は、牛の口に新しく考案した口輪を付けて、牧草を食べささない。ただのんびり日光浴のみとする。小屋に入れている時に餌を与える。
【図１】
2014064550.tif 000003
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
牛を放牧するときは、舌が地面に付かない口輪を付けて、牧場で牧草を食べないよう、砂や土が同時に口に入らないようにして、人が牛の肉を食べても癌のもとになる土や砂の蓄積が出来なくすることを特徴とする牛の飼育方法。
(57)【要約】      （修正有）【課題】自宅でも出来るようにすることが可能な下半身運動ダンベルを提供する。【解決手段】ダンベル１に二本、紐２を取り付け、足首の裏にダンベル１を置いて、二本の紐２をそれぞれ左右の足首に巻き、椅子に深く腰掛けて、膝を曲げたり、伸ばしたりする。【選択図】図２
2014064930.tif 000002
【特許請求の範囲】
【請求項１】
ダンベルに二本、紐を取り付け、足首の裏にダンベルを置いて、二本の紐をそれぞれ左右の足首に巻く、下半身運動ダンベル。
【発明の詳細な説明】
【技術分野】
【０００１】  本発明は自宅でも器具を使って運動出来る下半身運動ダンベルに関するものである。
【背景技術】
【０００２】  以前は、自宅でダンベルを使っての下半身の運動は不可能だった。
【先行技術文献】
【特許文献】
【０００３】
【発明の概要】
【発明が解決しようとする課題】
【０００４】  従来はダンベルを使って下半身の運動をするには、ボディビルセンター、フィットネスクラブ、スポーツクラブ、格闘技の道場やジムに行くしか出来なかったのを自宅でも出来るようにする本発明は以上の問題点を解決するものである。
【課題を解決するための手段】
【０００５】  ダンベルに二本、紐を取り付け、足首の裏にダンベルを置いて、二本の紐をそれぞれ左右の足首に巻く。
【発明の効果】
【０００６】  椅子に深く腰掛けて、足を曲げたり伸ばしたりする。すると、従来では不可能だったダンベルを使った下半身の運動が出来る。
【図面の簡単な説明】
【０００７】
【図１】  横から見た図。
【図２】  上から見た図。
【発明を実施するための形態】
【０００８】  以下、本発明の実施の形態を説明する。
（イ）ダンベルの手で持つ所に二本、紐を結び、取り付ける。
（ロ）紐を取り付けたダンベルを足首の裏に置き、二本の紐をそれぞれ左右の足首の所で結ぶ。
（ハ）椅子に深く腰掛けて、膝を曲げたり、伸ばしたりする。
【符号の説明】
【０００９】  １、ダンベル  ２、紐  ３、足
【図１】
2014064930.tif 000003
【図２】
2014064930.tif 000004
(57)【要約】      （修正有）【課題】折り畳み自転車の走行性能と携帯性を両立するには、比較的大きな車輪を用いて且つ重量の増加を抑えるために高度な加工技術と軽量で剛性の高い材料が不可欠ですが、どちらも高価でコストの上昇が問題である。【解決手段】駐輪兼移動用の２種類の補助輪を折り畳み自転車のシートチューブやシートポストまたはサドルの後部やその周辺に取り付けて、前後２つ折りにした折り畳み自転車を更に９０度倒立させれば安定した自立を保て、縦方向に空いたスペースを有効利用出来るので駐輪スペースや保管場所を節約し、そのまま持ち上げずに転がして運べる。【選択図】図２
2014208531.tif 000002
【特許請求の範囲】
【請求項１】
折り畳み自転車のシートチューブやシートポストまたはサドルの後部やその周辺に取り付けて折り畳んだ自転車を更に９０度倒立させ縦方向に空いたスペースを有効利用して駐輪スペースや保管場所の節約を図りそのまま持ち上げずに片手でも転がして運ぶことを可能にする２種類の補助輪。
【発明の詳細な説明】
【技術分野】
【０００１】  本発明は、折り畳んだ折り畳み自転車を更に９０度倒立させて、そのまま持ち上げずに片手で転がして運ぶことを可能にした２種類の補助輪に関するものである。
【背景技術】
【０００２】  折り畳み自転車は折り畳めば駐輪スペースや保管場所を節約できて便利である。また、折り畳み自転車と公共交通機関を併用すれば地球温暖化対策の切り札になると期待されています。【０００３】  しかし、残念ながら自転車としての機能が十分で且つ通勤時間帯の公共交通機関へ持ち込んでも支障のない折り畳み自転車は未だに登場していません。【０００４】  なぜならば折り畳み自転車の携帯性を重視して車輪を極端に小さくすると大きい車輪に比べて慣性モーメントが小さく長距離走行に不向きで段差等の登坂能力も低く走行性能が著しく低下します。また、走行性能を重視して比較的大きな車輪を用いて公共交通機関に持ち込んでも支障ないサイズにするには複雑に幾重にも折り畳むことになるが、折り畳み箇所は剛性が低下するので補強を余儀なくされ重量が増して益々走行性能と携帯性が悪化するパラドックスがあるからです。【０００５】  走行性能と軽量化を両立するために比較的大きな車輪を用いて折り畳み箇所を少なくするとコンパクトさに欠け携帯性が悪化してしまう。【０００６】  この改善策として、高度な加工技術と軽量で剛性の高い材料を多用して折り畳み箇所が多くても軽量で携帯性と走行性能の良い折り畳み自転車を製造する方法もあるが、どちらも高単価で製造コストの増加が問題である。【０００７】  折り畳んだ折り畳み自転車を駐輪する場合や引いて移動する場合は、自転車本来の車輪を利用するか自転車本来の車輪に補助輪をプラスするのが一般的です。また、自転車の天地を変換したら自転車本来の車輪が利用出来なくなるので、誰も折り畳んだ折り畳み自転車の天地を変換して、駐輪や引いて移動しようとしなかった。
【発明の概要】
【発明が解決しようとする課題】
【０００８】  弱点である折り畳み箇所を少なくし且つ走行性能を重要視して比較的大きな車輪を用いた折り畳み自転車は、コンパクトさに欠けて携帯性が悪く移動も煩わしい点である。
【課題を解決するための手段】
【０００９】  本発明は、折り畳み自転車のシートチューブやシートポストまたはサドルの後部やその周辺に取り付けて前後２つ折りにした自転車を更に９０度倒立させて縦方向に空いたスペースを有効利用して駐輪スペースや保管場所を節約し且つそのまま持ち上げずに片手で転がして運ぶことを可能にした２種類の補助輪が特徴です。
【発明の効果】
【００１０】  本発明の２種類の補助輪は、折り畳み自転車の欠点である折り畳み箇所を増やさずに縦方向に空いたスペースを有効利用して駐輪スペースや保管場所を節約し通勤時間帯の公共交通機関へ支障なく持ち込めるようにして、移動するときもそのまま持ち上げずに片手で転がして運ぶことを可能にした。また、高度な加工技術や高価な材料等のコストを掛けずに走行性能の高い自転車の製造を可能にした。
【図面の簡単な説明】
【００１１】
【図１】折り畳み自転車の駐輪兼移動用補助輪の実施方法を示した説明図である。
【図２】折り畳み自転車の駐輪兼移動用補助輪の実施方法を示した説明図である。
【発明を実施するための形態】
【００１２】  折り畳み箇所を増やさずに比較的大きな車輪を用いても駐輪スペースや保管場所を節約するという目的を、高度な加工技術も高価な材料も多用しないで、製造コストを抑えて実現した。
【実施例１】
【００１３】  図１は、本発明装置の１と２実施例の立面図であって、図２は、折り畳んだ折り畳み自転車を更に９０度倒立させる本発明装置１と２実施例の立面図である。【００１４】  駐輪兼移動用補助輪Ｂ２はメインフレーム３とリアフレーム４の連結機構を兼ねているので駐輪兼移動用補助輪Ｂ２のロックを解除するとリアフレーム４が折り畳み支点１１を中心に縦に回転してメインフレーム３の下に格納される。駐輪兼移用補助輪Ａ１はクイックリリース機能を兼ねているので緩めるとシートポスト９をシートチューブ１０の中へ落とし込める。本発明は２つ折りにした折り畳み自転車の駐輪兼移動用補助輪の実施方法にあるので、フロントホイール５の折り畳み方の説明と図２への表示は省略する。【００１５】  一般的な折り畳み自転車の全長はおよそ１５０ｃｍ位なので前後２つ折りにする折り畳み自転車の折り畳みサイズはおよそＷ７５×Ｈ５５×Ｄ３５なので横長過ぎる。コンパスの様に前後２つ折りにする折り畳み自転車の折り畳みサイズはおよそＷ５５×Ｈ１１０×Ｄ３５なので縦長過ぎる。【００１６】  本発明は前後２つ折りにした折り畳み自転車を更に９０度倒立させるため、折り畳みサイズをおよそＷ７５×Ｈ５５×Ｄ３５からおよそＷ５５×Ｈ７５×Ｄ３５に変換できるので縦方向に空いたスペースを有効利用して駐輪スペースや保管場所を節約できる。また、コンパスの様に前後２つ折りにする折り畳み自転車の折り畳みサイズおよそＷ５５×Ｈ１１０×Ｄ３５ほど縦の比が大き過ぎないので安定した自立が保てます。【００１７】  本発明の前後２つ折りにした折り畳み自転車を更に９０度倒立させた折り畳みサイズおよそＷ５５×Ｈ７５×Ｄ３５のＷ５５は成人の肩幅と同じくらいでＨ７５は成人が手を下げた位置に近いので腰を屈めずにメインフレーム３やハンドル８に手が届きスムーズに押して移動できます。【００１８】  図２の前後２つ折りにして更に９０度倒立させた折り畳み自転車の占有面積は、直立した成人の占有面積の近似値なので公共の交通機関へ支障なく持ち込める。だから折り畳み自転車と公共の交通機関を併用したエコロジーな通勤通学を実現します。
【符号の説明】
【００１９】１  駐輪兼移動用補助輪Ａ                ９  シートポスト
２  駐輪兼移動用補助輪Ｂ              １０  シートチューブ
３  メインフレーム                    １１  折り畳み支点
４  リアフレーム
５  フロントホイール
６  リアホイール
７  サドル
８  ハンドル
【図１】
2014208531.tif 000003
【図２】
2014208531.tif 000004
(57)【要約】【課題】シートバック背面に設けられた支持手段から取り出し易く、しかも、支持した物を視認できる乗り物用座席を提供する。【解決手段】シートバック２の背面２ａに帯状の弾性体４、５を格子状に架橋してなり、適宜の形状の小物８、９を前記弾性体４、５とシートバックの背面２ａとの間で挟持可能なるようにした。【選択図】図１
2014024461.tif 000002
【特許請求の範囲】
【請求項１】
シートバック背面に帯状の弾性体を格子状に架橋してなり、適宜の形状の小物を前記弾性体とシートバック背面との間で挟持可能なるようにしたことを特徴とする乗り物用座席。
【請求項２】
請求項１に記載の乗り物用座席であって、
前記弾性体は、前記シートバック背面に配設した閉ループ状の枠部材の間に架橋されてなることを特徴とする乗り物用座席。
【請求項３】
請求項２に記載の乗り物用座席であって、
前記弾性体は、斜め方向に架橋してなることを特徴とする乗り物用座席。
【請求項４】
請求項１乃至請求項３の何れか１項に記載の乗り物用座席であって、
前記枠部材の固定部間には、帯状の弾性体を保持可能なることを特徴とする乗り物用座席。
【発明の詳細な説明】
【技術分野】
【０００１】
本発明は、乗り物用座席に関する。
【背景技術】
【０００２】
従来の乗り物用座席、特にシートバックの背面を利用して装備品を設けたものがある（例えば、特許文献１参照。）。
【先行技術文献】
【特許文献】
【０００３】
【特許文献１】特開平１１−１９８６８９号公報
【発明の概要】
【発明が解決しようとする課題】
【０００４】
しかしながら、このような従来の技術にあっては、開閉可能な蓋体の底に入り込んだ物は取り出しづらく、全てを取り出さずには取り出せない恐れがある。
【０００５】
本発明は、このような従来の技術に着目してなされたものであり、シートバック背面に設けられた支持手段から取り出し易く、しかも、支持した物を視認できる乗り物用座席を提供するものである。
【課題を解決するための手段】
【０００６】
請求項１に記載の発明は、シートバック背面に帯状の弾性体を格子状に架橋してなり、適宜の形状の小物を前記弾性体とシートバック背面との間で挟持可能なるようにしたことを特徴とする。
【０００７】
請求項２記載の発明は、請求項１に記載の乗り物用座席であって、前記弾性体は、前記シートバック背面に配設した閉ループ状の枠部材の間に架橋されてなることを特徴とする。
【０００８】
請求項３記載の発明は、請求項２に記載の乗り物用座席であって、前記弾性体は、斜め方向に架橋してなることを特徴とする。
【０００９】
請求項４記載の発明は、請求項１乃至請求項３の何れか１項に記載の乗り物用座席であって、前記枠部材の固定部間には、帯状の弾性体を保持可能なることを特徴とする。
【発明の効果】
【００１０】
請求項１記載の発明によれば、シートバック背面に帯状の弾性体を格子状に架橋してなり、適宜の形状の小物を前記弾性体とシートバック背面との間で挟持可能なため、シートバック背面に設けられた弾性体から取り出し易く、しかも、支持した物を視認できる。
【００１１】
請求項２記載の発明によれば、前記弾性体は、前記シートバック背面に配設した閉ループ状の枠部材の間に架橋されてなるため、弾性体が枠部材によって確実に保持できることになる。
【００１２】
請求項３記載の発明によれば、前記弾性体は、斜め方向に架橋してなるため、小物を斜め方向から支持できるので、前記小物を容易に取り出し易いことになる。
【００１３】
請求項４記載の発明によれば、前記枠部材の固定部間には、帯状の弾性体を保持可能ため、小物だけで無く、枠部材ぐらいの大きな物の支持が確実にできる。
【図面の簡単な説明】
【００１４】
【図１】本発明の一実施形態に係る支持部に小物を支持した状態における乗り物用座席の背面を示す斜視図。
【発明を実施するための形態】
【００１５】
シートバック背面に設けられた支持手段から取り出し易く、しかも、支持した物を視認できる乗り物用座席を提供する、という目的を、シートバック背面に帯状の弾性体を格子状に架橋してなり、適宜の形状の小物を前記弾性体とシートバック背面との間で挟持可能なるようにしたことで、実現した。
【実施例】
【００１６】
以下、本発明の最良の実施例を図１に基づいて説明する。自動車としての乗り物用座席１は、図示しないシートクッションと、該シートクッションに前後に傾動自在なるシートバック２とよりなり、該シートバック２の背面２ａには、閉ループ状の枠部材３が固設されてなる。符号７は、枠部材３の下側に配されるポケットである。
【００１７】
前記枠部材３は、鉄板でも合成樹脂でも良いが、開口３ａが形成されてなり、枠の上下に鍵穴状の貫通穴３ｂに固定具６によりシートバック２の背面２ａに固定されている。貫通穴３ｂは、シートバック２の中央と、その左右に配され、都合６個形成されている。
【００１８】
前記枠部材３の開口３ａには、シートバック２の背面２ａに帯状の弾性体４、５を格子状に架橋してなり、適宜の形状の小物、例えば、合成樹脂製のボトル８やカメラ９を前記弾性体４、５とシートバック２の背面２ａとの間で挟持可能、或いは伸ばした前記弾性体４、５と伸ばさない前記弾性体４、５との間で挟持してなる。
【００１９】
前記弾性体４、５は、前記シートバック２の背面２ａに配設した閉ループ状の枠部材３の開口３ａ間に架橋されてなる。
【００２０】
前記弾性体４、５は、図１に示すように、斜め方向に架橋してなる。
【００２１】
前記枠部材３の上下に配される固定部である固定具６、６間には、帯状の弾性体（図示省略）を保持可能である。
【００２２】
次に、本実施例の作用を説明する。
【００２３】
シートバック２の背面２ａに帯状の弾性体４、５を格子状に架橋してなり、適宜の形状の小物、例えば、合成樹脂製のボトル８やカメラ９を前記弾性体４、５とシートバック２の背面２ａとの間で挟持可能なため、シートバック２の背面２ａに設けられた弾性体４、５から取り出し易く、しかも、支持した物、例えば、合成樹脂製のボトル８やカメラ９を視認できる。
【００２４】
前記弾性体４、５は、前記シートバック２の背面２ａに配設した閉ループ状の枠部材３の間に架橋されてなるため、弾性体４、５が枠部材３によって確実に保持できることになる。
【００２５】
前記弾性体４、５は、斜め方向に架橋してなるため、小物、例えば、合成樹脂製のボトル８やカメラ９を斜め方向から支持できるので、前記小物、例えば、合成樹脂製のボトル８やカメラ９を容易に取り出し易いことになる。
【００２６】
前記枠部材３の固定部である固定具６、６間には、帯状の弾性体（図示省略）を上下間に保持可能であるため、小物、例えば、合成樹脂製のボトル８やカメラ９だけで無く、枠部材３ぐらいの大きな物の支持が確実にできる。
【産業上の利用可能性】
【００２７】
以上の実施例では、乗り物用座席として自動車用の座席を例にして説明したが、これに限定されず、航空機、鉄道車両、船舶などに搭載されている座席でも良い。
【符号の説明】
【００２８】
１  乗り物用座席
２  シートバック
２ａ  シートバックの背面
３  枠部材
３ａ  枠部材の開口
４、５  弾性体
８、９  小物
【図１】
2014024461.tif 000003
(57)【要約】【課題】  市販されている自動車カバーは自動車下面にシート地を広げて使用する為、必要とする場所が大きくなり使用出来る駐車中の自動車は限られている、又自動車を被う為に地表面から使用されているファスナーに防水性能が無い為、大量の雨、水の浸透を防止する事は不可能だった、本発明はこれらを解決する為に提供できる。【解決手段】  耐水性のある素材を使用し、自動車車体を下面から被う箱型自動車カバーで小型自動車用には側面四方の上部部分にロープ穴を複数設け、外側側面、底面四方にヒモ止具を複数設け、屋外に駐車保管中の車両には屋根面から雨水の浸入を防ぐ為に、同じ素材で平面材を屋根面カバーとして設け、平面材の四方端にヒモを複数設ける、屋外駐車保管中の自動車が低地で大量の雨水で水没の恐れのある場合用には、タイプＩＩ型として屋根面と三方の側面部分の接合部分に防水性能の有るチャックを設け自動車全体を被うことを特徴とする箱型自動車カバー。【選択図】図１
2014024530.tif 000002
【特許請求の範囲】
【請求項１】
耐水圧性の有る素材を使用し、自動車車体を下から被い、側面四方上部部分に複数のロープ穴を設け、同じ側面外側四方、底面四方に輪状にした複数のヒモ止具を設けた箱型自動車保護カバー。
【請求項２】
耐水圧性の有る素材を使用し、平面材の四方端に複数のヒモを設けた請求項１の箱型自動車保護カバー。
【請求項３】
耐水圧性の有る素材を使用し、タイプＩＩ型には自動車全体を被う為に屋根面と三方の側面部分の接合部分に防水性の有るチャックを設けた請求項１又は請求項２の箱型自動車保護カバー。
【発明の詳細な説明】
【技術分野】
【０００１】本発明は自動車を大量の雨、水の水害から守る自動車保護カバーに関するものである。
【背景技術】
【０００２】従来より低地で大量の雨、水から駐車保管中の自動車を保護するには防水シート等でカバーを製作する事を考慮した発明があり、下記の特許文献１、特許文献２に開示されている、特許文献１の先行技術は上布と下布からなる長方形状袋体と開口部を閉じる為にファスナー設けた構成になっている、特許文献２の先行技術はシート面上に車両を乗せ前後、左右を上方に折り曲げて車両に沿わせたことを特徴としている。
【先行技術文献】
【０００３】
【特許文献１】特開２０１０−２１５２１０号公報
【特許文献２】特開２００７−３１４０９８号公報
【発明の概要】
【発明が解決しようとする課題】
【０００４】上記特許文献１、２に開示されている先行技術は敷地に被筒具なるシート地を広げて使用する為、必要とする場所が大きくなり使用出来る駐車中の自動車は限られている、自動車を被う為に地表面からのファスナーが防水性能が無い為、大量の雨、水の浸透を防止する事が出来ない、本発明は以上の問題点を解決する為になされたものである。
【課題を解決するための手段】
【０００５】上記問題点を解決するために本発明は、耐水圧性のある素材を使用し、屋内外で駐車保管中の自動車車体を下面から被う箱型自動車カバーで、自動車の四方側面の上部部分に自動車の屋根面近くでロープを締め付ける為のロープ穴を複数設け、屋外に駐車保管中の車両の為に同じ四方側面外側に平面材からのヒモを結び付ける為にヒモを輪状にした複数のヒモ止具を設け、自動車の動きを固定する為に底面四方面に複数のヒモ止具を設け、屋外に駐車保管中の小型の自動車用の為に屋根面からの雨水の浸入を防ぐ為に、耐水圧性の同じ素材を使用した平面材を設け、平面材四方端にヒモを複数設け、箱型自動車保護カバーを使用しても水没の恐れのある中型自動車には密閉性能のあるタイプＩＩ型として自動車全体を被う為に屋根面と三方の側面部分の接合部分に防水性能の有るチャックを設ける。
以上の構成よりなる箱型自動車カバー。
【発明の効果】
【０００６】箱型自動車保護カバーを装着使用した自動車は大量の雨、水の水害時には屋内外で駐車保管中の小型の自動車は浮き上がり、屋外で駐車保管中の自動車には屋根面からの雨水の浸入を防ぐために平面材で屋根面全体を被い、中型車には密閉性能のあるタイプＩＩ型で自動車全体を被い、自動車が屋根まで水に浸かっても自動車は異常なく通常の使用走行が出来る。
【図面の簡単な説明】
【０００７】
【図１】本発明の箱型自動車保護カバーと平面材の斜視図
【図２】本発明の箱型自動車保護カバーの側面に設けたヒモ止具斜視図
【図３】本発明の箱型自動車保護カバーＩＩ型のチャック位置斜視図
【発明を実施するための形態】
【０００８】以下、本発明の実施の形態を説明する。
耐水圧性のある素材を使用した、箱型自動車カバー（１）で自動車の底部分から四方側面を上方に伸ばし、伸ばした上部部分にロープ穴（２）を複数設け、同じ耐水圧性のある素材を使用したヒモ（４）を輪状にしたヒモ止具（３）を底部分から伸ばした四方の側面外側に複数設け、自動車の動きを固定する為に底面四方に複数のヒモ止具（３）を設け、屋根面を被う為に同じ耐水圧性のある素材を使用した平面材（５）を設け、平面材の端に複数のヒモ（４）を設け、タイプＩＩ型として自動車全体を被い、密閉性を保つ為に屋根面と三方の側面部分の接合部分に防水性の有るチャック（６）設けた。
本発明は以上ような構造である。
本発明を使用する時は、屋内に駐車保管中の自動車には箱型自動車保護カバー（１）を全体を平坦地に敷いて広げ自動車車体を中央位置に乗せ、箱型自動車保護カバー（１）の四方側面を引き上げ、四方側面上部のロープ穴（２）にロープを通して、屋根面近くで締め付けて固定し使用する、屋外で駐車保管中の自動車には平面材（５）で屋根面を被い、平面材からのヒモ（４）を四方側面外側にある輪状にしたヒモ止具（３）に結び付けて使用する、自動車の動きを固定する為に底面四方にあるヒモ止具（３）を使用する、低地に自動車を駐車保管中で水没のする恐れのある自動車には自動車全体を被う為に防水性の有るチャック（６）を設けたタイプＩＩ型を使用する。
【符号の説明】
【０００９】１、箱型自動車保護カバー  ２、ロープ穴  ３、ヒモ止具
４、ヒモ  ５、平面材  ６、チャック
【図１】
2014024530.tif 000003
【図２】
2014024530.tif 000004
【図３】
2014024530.tif 000005
(57)【要約】      （修正有）【課題】運転者がブレキペダルとアクセルペダルの踏み間違いをした時、エンジン回転が急上昇し、車両の暴走に至らないようにする装置を提供する。【解決手段】アクセルの真下にバック用ストッパー２とドライブ用ストッパー３の二つのストッパーを設ける。シフトレバー１をバックポジション１３に入れるとレバーが押され繋がるワイヤーを引き、バック用ストッパー２が引かれ立ち上がり、アクセルの踏み込みを制限する。シフトレバー１をドライブポジション１４に入れるとレバーが押され繋がるワイヤーを引き、ドライブ用ストッパー３が引かれ立ち上がり、アクセルの踏み込みを制限する。【選択図】図２
2014024532.tif 000002
【特許請求の範囲】
【請求項１】
アクセル（１）の真下の床に，バック用とドライブ用の二つのストッパーを設け，車がバックする時はバック用のストッパー（２）を立て，アクセル（１）の踏み込みを制限して，万一のペタルの踏み違い事故を防ぐ。
【請求項２】
車が前進する時は，ドライブ用のストッパー（３）を立て，アクセルの踏み込みを制限して，万一のペタルの踏み違い事故を防ぐ。
【発明の詳細な説明】
【技術分野】
【０００１】  この発明は，自動車のアクセルの真下の床に，バック用とドライブ用の二つのストッパーを持つ土台を設け，バックの時またはドライブの時，それぞれアクセルの踏み込みを制限し，万一，ペタルの踏み間違いによる事故を防ぐ装置である。
【背景技術】
【０００２】  従来，自動車のアクセルには制限はなく床まで（最後まで）踏み込めた。
【発明の開示】
【発明が解決しようとする課題】
【０００３】  これは，次のような欠点があった。
従来，アクセルの踏み込みに制限はなく自由に踏み込めた。
このためブレーキを踏むつもりで，誤ってアクセルを踏み込み，ハッとした瞬間ブレーキを踏み直したが，ハッとしたと同時に，エンジンは最高回転まで上がり車は素っ飛んでいた，事故は殆ど免れない。
（ブレーキは踏み込むと重くなって途中で止まるが，アクセルは最後まで軽く踏み込める，このため間違って踏み込むと，吸い込まれる感覚で床まで入ってしまう）
本発明は，以上のような欠点をなくすためになされたものである。
【課題を解決するための手段】
【０００４】  オートマチック車のアクセル（１８）の真下の床に，バック用のストッパー（２）とドライブ用のストッパー（３）の二つのストッパーを持つ土台（４）を設ける。
シフトレバー（１）のレール（１９）のバックの位置にレバー（５）を，またドライブの位置にレバー（６）を設ける。
バック用のストッパーと，バックの位置にあるレバー（５）をワイヤー（７）で繋ぐ。
ドライブ用のストッパーと，ドライブの位置にあるレバー（６）をワイヤー（８）で繋ぐ。
本発明は以上のような構成よりなるバックの時，ドライブの時のアクセルの踏み込みを，それぞれのストッパーを用いて，万一のペタルの踏み間違いによる暴走を未然に防ぐ装置である。
（例えば，バック時は１４００回転位，ドライブ時は３５００回転位にしてそれ以上回転数が必要な時は，バックの時はバックのレバーからリングを外し，ドライブの時はドライブのレバーからリングを外す）【０００５】  車を少し動かし止めようとブレーキを確認せずにを踏んだ途端，ストッパーに当たりモタつく（１〜２秒），瞬間，間違いに気づきすぐブレーキを踏み直し，何事もなく済ませた。
（間違って踏んだり，強く踏まない限り，エンジンのモタツキは起らない）
【発明を実施するための最良の形態】
【０００６】  シフトレバー（１）をバック（１３）に入れると，レバー（５）が押され繋がるワイヤー（７）を引き，バック用のストッパー（２）が引かれて立ちアクセルの踏み込みを制限して，万一の事故を防ぐ。
シフトレバー（１）をドライブ（１４）に入れると，レバー（６）が押され繋がるワイヤー（８）を引きドライブ用のストッパー（３）が引かれて立ちアクセルの踏み込みを制限して，万一の事故を防ぐ。
本発明は，以上のような構造である。
【図面の簡単な説明】
【０００７】
【図１】  本発明の運転席のアクセルの下に設けたストッパーと，シフトレバーのレールの脇に設けた二つのレバー位置の説明図である。
【図２】  本発明の二つのストッパーと二重の土台，シフトレバーのレールの位置に設けた二つのレバーの斜視図である。
【図３】  シフトレバーをバックに入れ，レバーが押されワイヤーを引きバック用のストッパーを立てた説明図である。
【図４】  シフトレバーをドライブに入れ，レバーが押されワイヤーを引きドライブ用のストッパーを立てた説明図である。
【符号の説明】
【０００８】    １    シフトレバー
２    バック用のストッパー
３    ドライブ用のストッパー
４    ストッパーの土台
５    バック用のレバー
６    ドライブ用のレバー
７    バック用のワイヤー
８    ドライブ用のワイヤー
９    バック用のストッパーと土台を繋ぐ蝶番
１０  ドライブ用のストッパーと土台を繋ぐ蝶番
１１  バック用のストッパーと土台をスプリングで繋ぐ
１２  ドライブ用のストッパーと土台をスプリングで繋ぐ
１３  シフトレバーのバックの位置
１４  シフトレバーのドライブの位置
１５  バックのレバー掛かるリング
１６  ドライブのレバーに掛かるリング
１７  ブレーキ
１８  アクセル
１９  シフトレバーのレール
【図１】
2014024532.tif 000003
【図２】
2014024532.tif 000004
【図３】
2014024532.tif 000005
【図４】
2014024532.tif 000006
(57)【要約】【課題】現社会では、高齢化により、細かい作業が難しくなっている、薄いポリ袋、ビニール袋を開けようとしても、静電気等でなかなか開かなくて苦労する事が良くある、スーパー等に濡れタオル、スポンジ等が設置して有るが不特定多数の人が使用するので衛生的な面等で多くの人は抵抗を感じる。  本発明は、薄く開け難いポリ袋を容易に開ける為のポリ袋開け具を提供する。【解決手段】挟み具（本体）の中央部を円形に成形し弾力性を持たせた、二又状をした挟み具の挟み板の両内側に両面テープを貼り、又下部には固定用の両面接着テープを設けたことを特徴とするポリ袋開け具。【選択図】図１
2014024599.tif 000002
【特許請求の範囲】
【請求項１】
挟み具（本体）の中央部を円形に成形し弾力性を持たせた、二又状をした挟み具の上挟み板と下挟み板の内側には袋開口用の両面接着テープを貼り、又上挟み板のおもて面には押さえ部を設け、下挟み板には、固定用の両面接着テープを設けたポリ袋開け具。
【発明の詳細な説明】
【技術分野】
【０００１】  本発明は、薄くて開けにくいポリ袋、ビニール袋の口を開けるポリ袋開け具に関する物である。
【背景技術】
【０００２】  従来、薄いポリ袋、ビニール袋などは、濡れタオル、スポンジで指を湿らせたり指を舐めて開けていた。
【先行技術文献】
【０００３】
【発明の概要】
【発明が解決しようとする課題】
【０００４】  現社会では、高齢化により、細かい作業が難しくなっている、薄いポリ袋、ビニール袋を開けようとしても、静電気等でなかなか開かなくて苦労する事が良くある、スーパー等に濡れタオル、スポンジ等が設置して有るが不特定多数の人が使用するので衛生的な面等で多くの人は抵抗を感じる。
本発明は、以上の問題点を解決する為になされたものである。
【発明を解決するための手段】
【０００５】  挟み具（本体）の中央部を円形に成形し弾力性を持たせた、二又状をした挟み具の挟み板の両内側に両面テープを貼り、又下部には固定用の両面接着テープを設る。
以上の構成よりなるポリ袋開け具。
【発明の効果】
【０００６】  高齢化等により、細かい手作業等は大変苦労します、特に薄いポリ袋、ビニールを開口するのに、従来は簡単な方法が無かった、本発明により簡単に開けることが出来る。
本発明は、箱型ポリ袋、ロール型ポリ袋、他にビニール袋等開口が可能、家庭、スーパー等で利用。
【図面の簡単な説明】
【０００７】
【図１】  本発明の斜視図
【発明を実施するための形態】
【０００８】  以下、本発明の実施の形態を説明する。
（イ）二又状の弾力性の有る挟み具（１）の上挟み板（２）と下挟み板（４）を設ける。
（ロ）上挟み板（２）と下挟み板（４）の内側に袋接着用両面テープ（５）を貼り又、下挟み板（４）の下側に固定用両面テープ（６）を設ける。
（ハ）上挟み板（２）の中央部に押さえ部（３）を設ける。
本発明は以上のような構造である。
本発明を使用する時は、二又状の挟み具（１）の下挟み板（４）を台、又は壁等に固定し、二又状の挟み具（１）の間にポリ袋の開口部を入れ、押さえ部（３）を押し下げ手を離すと上挟み板（２）と下挟み板（４）に付いている袋接着用両面テープ（５）に接着され、挟み具（１）の弾力によりポリ袋が開口する。
【符号の説明】
【０００９】１  挟み具、  ２  上挟み板、  ３  押さえ部、  ４  下挟み板
５  袋接着用両面テープ、  ６  固定用両面テープ
【図１】
2014024599.tif 000003
(57)【要約】【課題】従来のふるいは落下する粉受けの容器を必需品とする。数回の作業には時間もかかる。又、粉が周りに飛散する。3段回の回転式に於いては大がかりで、少量の粉の菓子作りには敵さない。これらの欠点を解決する。【解決手段】本発明が提供する篩は、この様な問題点を解決するためになされたものである。第1容器１と、この第１容器の上に同軸的に重ね合わせる第2容器2と、第2容器２に被せる蓋とよりなり、前記第2容器2は底部７に篩用網４が張設され第1容器１と第2容器２及び第2容器と蓋３は、凹凸部によって、一体に結合される構成になっている。第1容器1の取手５を握り反転させて何回でもふるう事が出来る。【選択図】  図１
2014024022.tif 000002
【特許請求の範囲】
【請求項１】
第１容器と、この第一容器の上に同軸的に重ね合わせる第２容器と、第２容器に被せる蓋とよりなり、前記第２容器は底部にふるい網が張設され、第１容器と第２容器と第２容器の蓋は凹凸部によって嵌合されて一体に結合される構成となっていることを特徴とするふるい。
【請求項２】
前記第１容器にふるいの作業を容易にする着脱可能な取手を設け、第２容器は、反転させて第１容器の中に収納可能な形状としたことを特徴とする請求項１記載のふるい。
【発明の詳細な説明】
【技術分野】
【０００１】
本発明は反転することで、周囲に粉を飛散することなく手早く簡単に粉をふるう事が出来るふるいに関する。
【背景技術】
【０００２】
従来、粉をふるう器具としては、上から下へ網目を通し落下させ、数回ふるう場合に於いては、落下した粉を集めてふるいに入れ再び同じ作業を繰り返して行う（特許文献１参照）。また、３段階で回転させてふるい落とすものもある。しかしながら、少量の粉を効率よく振い落すふるいは知られていない。
【先行技術文献】
【特許文献】
【０００３】
【特許文献１】特開２００５−２１１２５８号
【発明の開示】
【発明が解決しようとする課題】
【０００４】
しかし、上記従来のふるいは落下する粉受けの容器を必需品とする。数回の作業には時間もかかる。又、粉が周りに飛散する。三段階の回転式に於いては大がかりで少量の菓子作りには適さない。本発明は上下ふたつの容器と網を用いることにより少量の粉を効率よくふるい分けることが可能なふるいを提供する。
【課題を解決するための手段】
【０００５】
（１）本発明が提供するふるいは、このような問題点を解決するためになされたもので第１容器と、この第一容器の上に同軸的に重ね合わせる第２容器と、第２容器に被せる蓋とよりなり、前記第２容器は底部にふるい用網が張設され、第１容器と第２容器及び第２容器と蓋は凹凸部によって嵌合されて一体に結合される構成となっていることを特徴とするものである。
（２）上記（１）の第1容器にふるいの作業を容易にする着脱可能な取手を設け、第２容器は、反転させて第１容器の中に収納可能な形状としたことを特徴としたものである。
【発明の効果】
【０００６】
本発明のふるいは、反転してふるう事で、第１容器の網目からふり落とした粉が拡散され、第２容器で受け止められる。反転する事で何回でも周囲に粉を飛散することなく手早く簡単に粉をふるう事が出来る。
着脱が可能なので清潔に洗う事が出来る。
第１容器に氷を入れて第２容器の利用も可能である。
めん類や豆腐の水切り、勿論、第２容器は粉ふるいやうらごしに使用出来る。
【図面の簡単な説明】
【０００７】
【図１】ふるい全体図
【図２】第１容器
【図３】第２用器
【発明を実施するための形態】
【０００８】
以下、本発明を実施するための最良の形態を、実施例により説明する。
実施例のふるいは図２に示すように第１容器１で、粉を計量し第２容器２を被せて反転する。第１容器１の粉を第２容器２にふるい落とす。反転して第２容器２の粉を第１容器１に、仕上げは第２容器２の蓋３を外して反転して、ボールにふるい込む。第２容器２を外して第１容器１にゴミ又はダマ等が残るので取り除いて捨てると良い。
収納は第２容器２を取外し反転して第１容器１に納める。  
【符号の説明】
【０００９】
１  第１容器
２  第２容器
３  蓋
４  ふるい網
５  取手
６  接続具
７  底部
【図１】
2014024022.tif 000003
【図２】
2014024022.tif 000004
【図３】
2014024022.tif 000005
(57)【要約】【課題】曲げ加工時に表面き裂を生じることを確実に防止する。【解決手段】基材１３の表面に肉盛層（２，３）を形成した肉盛材の曲げ加工方法であって、基材１３の、曲げ方向の側に位置する半部表面に第１肉盛層２を形成した後、基材１３を目標角度へ曲げ、この状態で、基材１３の、曲げ方向とは反対側に位置する半部表面に第２肉盛層３を形成する。【選択図】        図４
2014024086.tif 000002
【特許請求の範囲】
【請求項１】
基材の表面に肉盛層を形成した肉盛材の曲げ加工方法であって、前記基材の、曲げ方向の側に位置する前記基材の半部表面に第１肉盛層を形成した後、前記基材を目標角度へ曲げ、この状態で、前記基材の、曲げ方向とは反対側に位置する半部表面に第２肉盛層を形成することを特徴とする肉盛材の曲げ加工方法。
【請求項２】
前記第１肉盛層を、中立面よりも曲げ方向の内側に形成した請求項１に記載の肉盛材の曲げ加工方法。
【請求項３】
少なくとも前記第２肉盛層を溶接によって形成し、前記第２肉盛層を形成した後、戻り変形した前記基材を再び目標角度へ曲げるようにした請求項１又は２に記載の肉盛材の曲げ加工方法。
【発明の詳細な説明】
【技術分野】
【０００１】
本発明は肉盛材の曲げ加工方法に関し、特に曲げ加工時の表面き裂の発生を効果的に防止できる肉盛材の曲げ加工方法に関する。    
【背景技術】
【０００２】
肉盛材の曲げ加工方法の一例として、管曲げ時の減肉を防止する管曲げ方法が特許文献１に示されており、ここでは、管体の曲げ外側面に鋼材を沿わせて、管体を局所的に加熱しつつ管体と鋼材を一体に曲げている。
【先行技術文献】
【特許文献】
【０００３】
【特許文献１】特開昭６１−８２９３１
【発明の概要】
【発明が解決しようとする課題】
【０００４】
しかし、上記従来の方法では、減肉は防止できるものの、特に肉盛パイプのようなものでは往々にして表面き裂を生じることが問題になっていた。
【０００５】
そこで、本発明はこのような課題を解決するもので、曲げ加工時に表面き裂を生じることを確実に防止できる肉盛材の曲げ加工方法を提供することを目的とする。
【課題を解決するための手段】
【０００６】
本第１発明では、基材（１３）の表面に肉盛層（２，３）を形成した肉盛材の曲げ加工方法であって、基材（１３）の、曲げ方向の側に位置する半部表面に第１肉盛層（２）を形成した後、基材（１３）を目標角度へ曲げ、この状態で、基材（１３）の、曲げ方向とは反対側に位置する半部表面に第２肉盛層（３）を形成することを特徴としている。
【０００７】
本第１発明においては、基材の、曲げ方向の側に位置する半部表面に第１肉盛層を形成した後に、基材を目標角度へ曲げているから、第１肉盛層には圧縮応力が生じ、引張応力は生じないから、第１肉盛層に表面き裂を生じることはない。そして、基材を目標角度へ曲げた状態で、基材の、曲げ方向とは反対側に位置する半部表面に第２肉盛層を形成しているから、当該第２肉盛層にも引張応力が生じることはなく、第２肉盛層にも表面き裂を生じることはない。このよにして、肉盛材の曲げ加工時における表面き裂の発生を確実に防止することができる。
【０００８】
本第２発明では、第１肉盛層（２）を、中立面（Ｃ）よりも曲げ方向の内側に形成する。本第２発明においては、曲げ加工時に第２肉盛層の全ての部分に圧縮応力しか発生しないから、表面き裂の発生をより確実に防止することができる。
【０００９】
本第３発明では、少なくとも第２肉盛層（３）を溶接によって形成し、第２肉盛層（３）を形成した後、戻り変形した基材（１３）を再び目標角度へ曲げるようにする。本第３発明においては、第２肉盛層の溶接収縮による基材の戻り変形を修正して目標角度へ確実に基材を曲げ変形させることができる。戻り変形を修正することにより第２肉盛層には引張応力が生じるが、この時の引張応力は十分に小さい。
【００１０】
上記カッコ内の符号は、後述する実施形態に記載の具体的手段との対応関係を示すものである。
【発明の効果】
【００１１】
以上の如く、本発明の肉盛材の曲げ加工方法によれば、曲げ加工時に肉盛材に表面き裂を生じることを確実に防止することができる。
【図面の簡単な説明】
【００１２】
【図１】本発明の一実施形態を示す基材の断面図である。
【図２】第１肉盛層を形成した円筒材の部分断面側面図である。
【図３】曲げ加工を行った円筒材の部分断面側面図である。
【図４】第２肉盛層を形成した円筒材の部分断面側面図である。
【発明を実施するための形態】
【００１３】
なお、以下に説明する実施形態はあくまで一例であり、本発明の要旨を逸脱しない範囲で当業者が行う種々の設計的改良も本発明の範囲に含まれる。
【００１４】
本発明では図1に示すように最初に基材１１〜１４の半部(図1では下半部)表面に第１肉盛層２を形成する。基材としては、板材１１（図１（１））、角筒材１２（図１（２））、円筒材１３（図１（３））、円筒材と板材を組み合わせた構造材１４（図１（４））等が使用できる。上記第１肉盛層２は耐食金属やセラミクス等で構成され、溶接や溶射等で形成できる。なお、第１肉盛層２を図１に示すように中立面Ｃに至らない範囲に形成しておくと、次工程の曲げ成形時に第１肉盛層２内に引張応力が作用しないので好ましい。
【００１５】
以下の工程は基材として円筒材１３を使用した場合について説明するが、他の基材１１，１２，１４についても同様である。図２は下半部の表面に第１肉盛層２を形成した円筒材１３の、肉盛層２部分を断面とした側面図である。曲げ加工工程では、第１肉盛層２を形成した側(図２では下側)へ 円筒材１３を目標角度まで曲げ変形させる（図３）。この際、第１肉盛層２は曲げ方向で中立面Ｃの内側にあるから（図１（３）参照）、第１肉盛層２には圧縮応力のみが作用し、引張応力は作用しない。したがって、第１肉盛層２に表面き裂を生じることはない。
【００１６】
次に円筒材１３の残る半部、すなわち曲げ方向の反対側にある円筒材１３の外側半部（図１、図３では上半部）に第２肉盛層３を形成する（図４）。第２肉盛層３には引張応力は生じていない。このようにして、円筒材１３の全周に、表面き裂の無い肉盛層２，３が形成される。
【００１７】
第２肉盛層３を形成した時点で、 円筒材１３がやや戻り変形することがある。この場合には再度、円筒材１３を上記目標角度まで曲げ直しておく。この際、曲げ方向の外側にある第２肉盛層３には引張応力が生じるが、この応力は小さいから表面き裂を生じることはない。この際、円筒材１３を目標角度まで曲げ直した後、焼きなましを行って第２肉盛層３内の引張応力を除去しておくことが好ましい。
【符号の説明】
【００１８】
２…第１肉盛層、３…第２肉盛層、１３…基材、Ｃ…中立面。
【図１】
2014024086.tif 000003
【図２】
2014024086.tif 000004
【図３】
2014024086.tif 000005
【図４】
2014024086.tif 000006
(57)【要約】【課題】手動でローラーチエンに遠心力を起こし、その慣性モーメントで発電機の回転軸歯車を回転させる手動遠心力発電機を提供する。【解決手段】ドーナツ状の筒ケース（１）の中にレール（２）を設け、重り（４）の付いたローラーチエン（３）を乗せて設ける。発電機の回転軸歯車（５）をロ−ラーチエンに噛ませて設け、ドーナツ状の筒ケース（１）を操作するハンドル（７）を設ける。筒ケースの外側に、遠心力をサポートするスプリング（６）を設け、そのスプリングを固定する支持台（８）を設けた、手動による遠心力発電機を特徴とする。【選択図】図１
2014015924.tif 000002
【特許請求の範囲】
【請求項１】
（イ）筒をドウナツ状（１）にして、筒の中にレール（２）を設ける。
（ロ）レール（２）の上に、ローラーチエン（３）を輪形に繋いで設ける。
（ハ）ローラーチエン（３）の１箇所に遠心力を促す重り（４）を固定して設ける。
（ニ）レール（２）に切れ間を設け、その切れ間からローラーチエンに、発電機の回転軸歯車（５）を噛み合わせて設ける。
（ホ）筒ケース（１）の外側には、遠心力をサポートするスプリング（６）を設ける。
（ヘ）スプリング（６）を固定するスタンド（８）を設ける
（ト）筒ケース（１）の遠心力を操作するハンドル（７）を設ける。
以上の構成よりなる手動遠心力発電機。
【発明の詳細な説明】
【技術分野】
【０００１】この発明は、ドーナツ状にした筒の中のローラーチエンに、遠心力を与え、発電機回転軸歯車を回転させるものである。
【背景技術】
【０００２】手動の遠心力でローラーチエンを回転させ、発電させるものは無かった。
【発明の開示】
【発明が解決しようとする課題】
【０００３】これは、次のような欠点があった。
従来、手動式発電機は、手回しでハンドルを回転するので限界があり回転速度が上がらず、わずかな起電力しか得る事が出来なかった。
本発明は、手動の遠心力を利用し、手動式発電機の起電力アップの為になされたものである。
【課題を解決する為の手段】
【０００４】ドーナツ状にした筒ケース（１）の中に、レール（２）を設ける。
レールの上に、ローラーチエン（３）を輪に組み設ける。
ローラーチエン（３）の１箇所に重り（４）を固定する。
筒ケース（１）とレール（２）に隙間を作り、発電機の回転軸歯車（５）をローラーチエン（３）に噛ませて設ける。
筒ケース（１）を操作するハンドル（７）を設ける。
筒ケース（１）は、外側にスプリング（６）で支えて設ける。
スプリング（６）は、枠付き支持台（８）に固定して設ける。
本発明は、以上の構成からなる手動遠心力発電機である。
【発明の効果】
【０００５】手動でも遠心力を利用すれば、発電機を高速回転させる事が出来るので、従来の手動では得られない起電力を、簡単に得る事が出来る。
【発明をを実施する為の最良の形態】
【０００６】以下、本発明を実施する為の最良の形態について説明する。
ドウナツ状にした筒ケース（１）の中に、レール（２）を設ける。
筒ケースの中に設けたレールの上に、ローラーチエン（３）を輪形に繋いで設ける。
ローラーチエン（３）の１ヶ所に、遠心力を促す重り（４）を固定する。
レール（２）の１箇所に隙間をを作り、発電機の回転軸歯車（５）をローラーチエン（３）に噛ませて設ける。
筒ケース（１）を操作するハンドル（７）を設ける。
ドーナツ状の筒ケース（１）は、外側にスプリング（６）で支えて設ける。
スプリング（６）は、枠付き支持台（８）に固定して設ける。
本発明は、以上のような構造である。
これを使用する時は、ハンドルで筒内の重りの付いたローラーチエンを振り回すように操作すると、遠心力が働いて回転し、発電機の回転軸歯車も回転して発電する。
【図面の簡単な説明】
【０００７】
【図１】  本発明の平面図である。
【図２】  本発明の側面断面図である。
【図３】  本発明の重り取り付け部断面図である。
【図４】  本発明の発電機の回転軸歯車を、ローラーチエンに噛み合わせた断面図である。
【符号の説明】
【０００８】１  筒ケース
２  レール
３  ローラーチエン
４  重り
５  発電機回転軸歯車
６  スプリング
７  ハンドル
８  支持台
【図１】
2014015924.tif 000003
【図２】
2014015924.tif 000004
【図３】
2014015924.tif 000005
【図４】
2014015924.tif 000006